(57)【要約】【課題】従来の制限がない、月齢表示装置を提供する。【解決手段】本発明は、時計用の月齢表示装置に関し、当該装置は、少なくとも部分的に月を表現する複数の第１画像（８１から８６）を持つ第１表示部（８０）と、表示領域と、月の表現の連続を表示するために、表示領域を基準にして連続跳躍で第１表示部（８０）を動かすべく作られている駆動手段（２２、２３、２５、４０、４１、４３、６３、７１、７２、６１、６２）とを備える。この装置の独自の特徴は、第１画像の表示期間の全てが等しいのではないという点である。
2021527799.tif 000002
【特許請求の範囲】
【請求項１】
月を少なくとも部分的に表現する複数の第１画像（８１から８６）を持っている第１表示部（８０）と、
表示領域と、
月の複数の表現の連続を表示すべく、連続した跳躍によって、第１表示部（８０）を表示領域について相対的に動かすように作られている駆動手段（２２、２３、２５、４０、４１、４３、６３、７１、７２、６１、６２）と
を備える時計用月齢表示装置において、
複数の第１画像の表示期間の全てが等しくはないことを特徴とする、時計用月齢表示装置。
【請求項２】
前記駆動手段は、
周期的な動力を提供すべく、時計のムーブメントに力学的に連結されることが意図されている作動部と、
次の第１画像を表示するために、作動部からのｎ個の動力に応答し、表示領域を基準にして第１表示部を変位させるべく作られている第１選択部と
を備え、
ｎは、対象の第１画像の表示期間に比例する整数であり、ｎは、全ての第１画像について同一ではない、
請求項１に記載の月齢表示装置。
【請求項３】
第２画像（９１から９６）を持ち、第２画像（９１から９６）を表示領域に連続的に示すべく、駆動手段によって、表示領域を基準にして変位可能な第２表示部（９０）を備え、
表示領域において、第２画像（９１から９６）は、第１表示部の第１画像（８１から８６）と組み合わせて、月齢の表現を形成する、
請求項１又は２に記載の月齢表示装置。
【請求項４】
月齢板の固定部分及び補完的部分を占める、第１画像と第２画像との並置によって、月齢の表現が組み合わされている、請求項３に記載の月齢表示装置。
【請求項５】
駆動手段は、次の第２画像（９１から９６）を表示するため、作動部からのｍ個の動力に応じて、第２表示部を、表示領域を基準にして変位させるべく作られている第２選択部を備え、
ｍは、対象の第２画像の表示期間に比例する整数であり、ｍは１つの第２画像と別の第２画像とで可変である、
請求項１から請求項４のいずれか一項及び請求項２に記載の月齢表示装置。
【請求項６】
第１表示部及び第２表示部は、２枚の同心の板（８０、９０）である、請求項３から請求項５のいずれか一項及び請求項３に記載の月齢表示装置。
【請求項７】
第１選択部は、朔望の所定の瞬時にて第１表示部（８０）を作動する第１プログラム車（６１）を備える、請求項２から請求項６のいずれか一項及び請求項２に記載の月齢表示装置。
【請求項８】
第２選択部は、朔望の所定の瞬時にて第２表示部（９０）を作動する第２プログラム車（６２）を備える、請求項５及び請求項７に記載の月齢表示装置。
【請求項９】
第１プログラム車及び第２プログラム車は、一体となっている、請求項８に記載の月齢表示装置。
【請求項１０】
表示領域を基準にした第１表示部の瞬間的な前進を起こす瞬間跳躍装置を備える、請求項１から請求項９のいずれか一項及び請求項２に記載の月齢表示装置。
【請求項１１】
プログラム車（６１）は、朔望の間の２回転によって駆動される、請求項１から請求項１０のいずれか一項及び請求項６に記載の月齢表示装置。
【請求項１２】
請求項１から１１のいずれか一項に記載の月齢表示装置を備える時計。
【発明の詳細な説明】
【技術分野】
【０００１】
本発明は、特に、しかし限定されないが、腕時計の文字板、懐中時計の文字板、時計背面に、又はその他の表示部に、月齢を表示する時計装置に関する。
【背景技術】
【０００２】
月齢表示装置は、時計の技術分野でよく知られている。一般的に、月齢は、２か月ごとに１回転する可動板で示され、可動板の上で月が２回表されるようになっている。文字板の特定の形状の開口部は、月齢に対応する形状を示すべく一つ又は他の画像の一部を露呈する。特許文献１（ＵＳ５０８４６７）及び他の多くの同様の刊行物がこのタイプの装置を示す。
【０００３】
これらの装置によって表示される月の形状は、満月時と、月が三日月であるときの新月に近い月齢でのみ、正しい。明領域と暗領域の境界線が直線であるとき、上弦の月と下弦の月との間、月の半周が明るいときに、これらの表示部は、半月時の忠実な月画像は再現不能である。
【０００４】
例えば特許文献２（ＥＰ１７０１２２７）に開示されている他の既知の装置は、一度にたった１つの表現だけ露呈する窓部に向かって、異なる月齢の一連の月画像を持つ板が、変位される表示部を提案する。
【０００５】
例えば特許文献３（ＥＰ１６１５０８６）及び特許文献４（ＥＰ１４７５６８０）によって提案されている他の装置は、特定の形状の暗領域と明領域が窓部の後ろで複雑に変位する表示部材によって、一連の月画像が作成される表示部を提案する。これらの機構は、回転部と摺動部の構成、また他には各移行での大小の任意の回転の構成を提供する。
【０００６】
特許文献５（ＵＳ５６５０７３６）は、窓部の後ろに２つの回転する表示部材が重ねられた表示部を開示する。表示部材の１つは明領域と暗領域を持ち、表示部材のもう１つは明領域と、暗領域と、透明領域とを持っている。この表示部は比較的かさばる。
【０００７】
小惑星のように回転軸の周りを回転する、暗いところと明るいところを持つ小球体によって、月齢が示される時計も、知られている。月齢を表示するこの方法は確かに（月齢に）忠実であるが、相当な厚さも占めるものである。
【先行技術文献】
【特許文献】
【０００８】
【特許文献１】米国特許第５０８４６７号明細書
【特許文献２】欧州特許出願公開第１７０１２２７号明細書
【特許文献３】欧州特許出願公開第１６１５０８６号明細書
【特許文献４】欧州特許出願公開第１４７５６８０号明細書
【特許文献５】米国特許第５６５０７３６号明細書
【発明の概要】
【発明が解決しようとする課題】
【０００９】
本発明の一課題は、既知の解決策の制限がなく、リアルで、設置範囲がより少ない月齢表示装置を提供することである。
【００１０】
実施形態の説明及び特許請求の範囲において、「朔望」という用語は、その長さが、少なくともおおよそ、２９日１２時間４４分２．８秒、すなわち２９．５３０５８８日と同義のひと月である時間間隔を示すべく使用される。時計の品質と精度の要求度に応じて、表示機構は、２９．５３１２５日、２９．５日、３０日、又は要求される値そのものに近い朔望の別の期間での完全な周期を実行可能としてもよい。
【課題を解決するための手段】
【００１１】
本発明によると、目的は、特に主請求項の事項によって達成される。目的は、特に、少なくとも部分的に月を表現する複数の第１画像を持つ第１表示部と、表示領域と、一連の月の表現を表示するために、連続する跳躍によって、第１表示部を、表示領域を基準にして変位させる駆動手段とを備える時計用月齢表示装置によって達成される。当該装置は、複数の第１画像の表示時間が全て等しいのではないという点で独自である。
【００１２】
このように、この装置は、満月（望）、半月（上弦・下弦）、新月（朔）といった、最も認識しやすい月齢の表示で高い精度を得られる一方で、特異性が比較的低い中間の月齢は、比較的長く表示を維持する。これにより、少ない画像数でよりリアルな表示が可能になる。代替的に、本発明は、表示板のサイズを大きくすることなく、又は表示のリアリズムを変えることなく、画像のサイズを大きくできるようにする。
【００１３】
各画像の跳躍が可変であり、このプログラミングの自由度があることで、表示部の朔望の期間が朔望の実際の期間に近く、それにより、表示部の設定の必要を削減又は不要にする、機構の設計の自由度がより大きい。
【００１４】
別の態様によると、第２画像を持ち、第２画像を表示領域に連続的に示すべく、駆動手段によって、表示領域を基準にして変位可能な第２表示部を備える装置を提案する。当該表示領域において、第２画像は、第１表示部の第１画像と組み合わせて、月齢の表現を形成する。
【００１５】
有利なことに、２つの画像の組み合わせによる月齢表現は、画像によって占められる領域を増やすことなく月の表現数の増加を可能にし、部分的な画像が、いくつかの異なる表現で現れるようにできる。代替的に、本発明は、月の所与の数の表現について、表示板のサイズを増加させることなく表現のサイズを大きくできる。
【００１６】
従属請求項は、例えば、表示部材のための同心円状板の使用と、瞬時跳躍機構の使用という、本質的でない特徴を備える有利な変形についてである。
【００１７】
請求項に記載される他の有利な変形は、朔望の所定の状態のときに、第１表示部又は第２表示部を作動するプログラム車に関してである。プログラム車は、朔望の期間に関連する期間に合わせて回転すべく、（月の満ちていく月齢と欠けていく月齢との間の対称性を使うとするならば）例えば、朔望につき１回転又は２回転、時計のムーブメントに連結可能である。さらに、プログラム車は、朔望の所定の状態の経過に合わせて、第１表示部と、第２表示部との少なくとも一方を変位させるように作られた外形を持つ。
【００１８】
好ましい１変形では、（両方の）プログラム車は同軸とされ、いっしょに回転し、各プログラム車は、第１表示板と、第２表示板とそれぞれに一体に２つの駆動車を駆動する、断続的に歯を持つ。駆動車は、それぞれジャンパーによって、安定位置に保持可能である。
【００１９】
プログラム車の瞬時又はゆっくりめの跳躍による回転は、プログラム車と一体の星形の歯車と協働するレバーによって取得可能である。星形の歯車は、ジャンパーによって安定位置に保たれることが好ましい。表示の作動に選択した期間に応じて、跳躍の場合のシフトが毎日作成され、それにより、表示が観察されるときに、観察されるのが表示の移行段階とならないようにする。瞬時跳躍を使用すると、いつでも月齢のリアルな表現を見られるようになる。
【図面の簡単な説明】
【００２０】
【図１】文字板側からみた本発明の装置の一実施態様を示す図である。
【図２】文字板側からみた本発明の装置の一実施態様を示す図である。
【図３】図１及び図２の装置の反対側を示す。
【図４】表示板を除去した状態を示す。
【図５ａ】２つの月画像の間の移行の異なる月齢を示す。
【図５ｂ】２つの月画像の間の移行の異なる月齢を示す。
【図５ｃ】２つの月画像の間の移行の異なる月齢を示す。
【図５ｄ】２つの月画像の間の移行の異なる月齢を示す。
【図５ｅ】２つの月画像の間の移行の異なる月齢を示す。
【図５ｆ】２つの月画像の間の移行の異なる月齢を示す。
【図５ｇ】２つの月画像の間の移行の異なる月齢を示す。
【図６】朔からの月画像の連続を示す。
【発明を実施するための形態】
【００２１】
図１及び２を参照すると、本発明の表示装置は、２つの板８０、９０を備え、各板は、朔望の所定の状態にみられる、一連の月の部分的表現を持っている。クラウン（丸穴車）の形態である第１の板８０は、板９０と同心であり、基本的に同じ平面にある板９０を取り囲む。本発明は、この特定の配置に限定されず、第１の板はまた、内側の板であってもよい。図示の例では、２つの表示板８９、９０のそれぞれが、一連の月の同じ部分の画像を持っている。２つの並置された部分の画像は、朔望の所定月齢における月のリアルな表現を提供できる。このように、月齢の表現が、月齢板の固定部分と相補部分を占める、第１と第２の相補画像の並置によって、組み合わされる。
【００２２】
示されている例の２つの板は、それぞれ６つの部分的な画像を持ち、以下で説明する駆動装置によって作動されて、１０の異なる月の表現を生成する。異なる月の各表現は、朔望の１か月周期のある月齢に対応する。月の各画像は、２つの部分的な画像、第１板８０の第１画像と第２板９０の第２画像の合成によって得られる。これら画像は同時に、図示しないウィンドウの下に並置されたり、一つ明かすなら、例えばスケルトンウォッチの場合、そこに並置される。内側の板９０には６つの異なる画像があり、板８０は４つの異なる画像を持ち、完全に明るい画像８１、８２及び完全に暗い画像８４、８５は、対称性のために同一で２回繰り返されることに留意されたい。板８０は、月の１２の異なる表現を示す６つの異なる画像を、等しく持つようにもできるだろう。
【００２３】
６つの部分的な画像が１０の異なる月の画像を作り出すという事実が基本的特徴ではなく、朔望における月齢の進行を正確に追跡したいという願望と、表示部の大きさとの間の、有利な落としどころであることを理解する必要がある。本発明はまた、異なる数の画像を有する実施形態も包含する。最大３０の異なる月の画像を表示可能な変形例を検討することもあろう。２つの板が同数の部分画像を持つとは必ずしも限らないことにも留意されたい。
【００２４】
月の複数の表現の連続を表示するために、表示領域を基準にして、第１表示部８０及び第２表示部９０を、連続する跳躍によって移動するように構成されている駆動手段２２、２３、２５、４０、４１、４３、６３、７１、７２、６１、６２によって、特定順序での画像の連続が確実になされる。
【００２５】
一例として示されている機構では、車２３は、モバイル（中間車）２２を介して１日で１回転を実行する車２４によって駆動され、その回転周期は２３．６２５時間である。車２３は、ピン４１に作用して板８０及び９０を前進させる指部２５を持つ。指部２５は、後部時間設定中の予期しない修正を回避するために、好ましくは格納式である。換言すると、車２２と、車２３と、指部２５とからなる組立体は、時計の動きに、この特定例では２４時間の車２４に力学的に連結されていることにより、周期的な動力（インパルス）を送達可能な作動部を構成する。
【００２６】
表示周期は、作動部の動力の周期の倍数である。従来技術の機構では、（表示が）等期間の画像の数が、表示の作動期間を支配していた。ムーブメントの時間基準から、理論的減速比が、等期間の画像の数の取得を可能としている。大きさと効率の複数理由のため、設計者は、減速比がほぼ求められる減速比である単純な歯車に、縛られている。本発明の表示機構は、各画像の表示期間を個別に選択する自由を残しながら、表示される画像の数とは独立に動力周期を作成するという利点を有する。これにより、表示期間が実際の朔望月に可能な限り近い機構を設計する、より大きな自由度を提供する。提示された例示的な実施形態では、３０（回、個）の動力と、２３．６２５時間の動力周期との組み合わせが選択され、これは２４時間の車から得られる。これは、２９日１２時間４５分の表示周期の期間に対応し、実際の朔望月に非常に近いものである。このような表示の精度は１日／１２５年であり、天文学上の月として評価可能である。このような駆動機構により、所望の月齢を最大３０まで表示可能である点に留意されたい。
【００２７】
図３と図４は、板８０及び板９０の前進機構を示す。板８０及び板９０は、朔望当たり３０回、車２３によって作動されるレバー４０をまず備える。レバーはバネ４２によって静止位置に保持される。そして、レバーは、一端に格納式のラチェットの爪４３を持つ。ラチェットの爪４３は、往復運動のたびに、星形の歯車６３を１ノッチ前進させる。ラチェットの爪４３は、星形の歯車６３の二重跳躍を回避するように設計されている。ジャンパー６５はまた、レバー４０が持ち上げられるときに星形の歯車６３の安定に寄与し、星形の歯車の逆回転を防ぐ。
【００２８】
修正レバー４８は、ばね４９によって静止位置に保持されている。その機能は、月齢表示の修正が必要であるときに、車２３の位置とは無関係に、月のレバー４０を手動で作動させることである。好ましくは、この指部２５は、安全上の理由から格納式である。表示板８０及び表示板９０を省いて本発明の表示機構を示す図４は、前後するレバー４０の動きごとに所定角度で作動されそして前進する２つのプログラム車６１及び６２を示す。各プログラム車は、所定の角度位置に、断続して複数の歯を持つ。プログラム車の歯は、２つの駆動車７１及び７２と協働し、これらは順にそれぞれ、第１表示板８０と、第２表示板９０と一体である。
【００２９】
作動部からの動力が生じると、プログラム車の歯が駆動車と噛み合い、対応する表示板が６０°の回転をする。これは、１つの画像と次の画像の間の移行に対応する。ジャンパー７６及び７７は、（２つの）表示板の安定性と指標付け（所定間隔の動き）を確実にし、プログラム車の断続的な歯の外形は、駆動車の偶発的な回転を阻止し、非同期を防ぐべく設計されている。
【００３０】
レバー４０と、ラチェットの爪４３と、星形の歯車６３と、プログラム車６１及び６２と、駆動車７１及び７２とによって形成される組立体は、第１及び第２の選択部を構成する。第１及び第２の選択部は、第１表示部及び第２表示部を、所定の順序に従って表示領域を基準にして変位可能である。選択部の機能は、作動部からのｎ個の動力に応答して、表示部を１つの画像から次の画像に変位することである。ここで、ｎは、対象の１画像の表示時間に比例する整数である。表示部の少なくとも１つでは、全て画像で表示期間が同一ではない。換言すると、数ｎは変わる。
【００３１】
表示板８０と９０を作動させる２つの独立したプログラム車の使用により、月の１画像と次の画像の間の移行のありかたの自由な選択が可能となる。車６１及び６２の歯は、レバー４０の２つの連続する動き、すなわち２３．６２５時間によって区切られた単一期間の満月及び新月を表示するように配置可能であり、月相の満ち欠けは、３期間又は４期間可視状態が維持される。これにより、表示をよりリアルにするため、そして設定しやすくするため、満月と新月を正確に指し示せるようにする。
【００３２】
本発明はまた、単一の表示部を備える表示装置にも関し、この表示装置では各画像の表示時間の全てが等しいのではない。
【００３３】
そのような装置の異なる表示時間は、この表示を従来のものと比較してより現実的にできる。
【００３４】
図５ａから図５ｇは、月のレバー４０の往復動作を示す。図５ａは、指部２５とピン４１の最初の接触の状態を示す。レバーは静止位置にあり、ラチェットの爪は星形の歯車６３の２つの歯の間に位置している。
【００３５】
図５ｂから図５ｄは、月のレバーの持ち上げの３つの連続した段階を示す。図５ｃに示す位置まで、ラチェットの爪４３は反時計回りに回動する。そして、反時計回り方向の回転を阻止するジャンパー６５によって保持されているため、車６３が動くことなく、ラチェットの爪４３は、歯の側面を摺動する。
【００３６】
図５ｄは、指部２５とピン４１との間の係合が解除となる状態を示す。月のレバー４０が持ち上がり、ばね４２が最大限伸ばされている。次の状態（図５ｅ）、ラチェットの爪４３（図５ｆ及び図５ｇ）によって星形の歯車６３を回転させて駆動することで、レバー４０は、ばね４２の作用を受けてその静止位置に迅速に戻る。駆動車７２と、駆動車７２と一体の表示板８０とは、１／６回転前進する。１画像から次の画像への移行は瞬時に行われる。これは、読みにくい「ばらばらな」表示が回避されて、現在時刻と関係なく移行が実施されるので、なお一層好ましい。ただし、半瞬間的又は時間をかけるような機構が考えられよう。
【００３７】
指部２５の作用によって漸進的に負荷されるレバー及びその戻りばねは、瞬間的な跳躍装置を構成する。このような瞬時跳躍装置は、別の場所、例えば選択部の下流に配置してもよいことに留意されたい。
【００３８】
図６は、２つの表示板の部分的画像８１から画像８６と、部分的画像９１から画像９６との並置によって得られる月の画像を示す（図１でも見られる）。窓越しに見える画像は実線で描かれ、そしてベタ塗としている。文字板に隠されている画像は破線で描かれ、斜線が付けられている。
【００３９】
朔望は左上の新月「ｎｌ」から始まり、２つの部分画像９４と８４が見える。並置された画像は、黒い月の画像を示す。対応するプログラム車の外形によって画定されている瞬間に、外部板が跳躍し、次の画像８３を表示する。窓越しの２つの画像は、最初の（満月に向かっていく）三日月形「ｃ１」の月を示すように作られている。
【００４０】
プログラム車は、所定時に、外側の板を前進させて部分画像８２を表示し、次に内側と外側の板を前進させて、組み合わせ画像８１と９３を表示し、それから、さらに、内側の板を前進させて、部分画像９２を表示するべく、設計されている。図からわかるように、徐々に満月に向かっていく月「ｃ２」、「ｃ３」、「ｃ４」の３つの画像がある。
【００４１】
画像「ｐｌ」は満月の画像であり、内側の板９０が回転して部分画像９１を表示するときに表示される。次に、画像「ｄ１」、「ｄ２」、「ｄ３」、「ｄ４」は、４つの徐々に細くなっていく月齢の月を示す。
【００４２】
有利なことに、月の満ちていく位相と欠けていく位相との間の対称性のため、板８０及び９０の作動順は、１朔望において同一のものが２回繰り返される。このため、星形の歯車６３は１５個の歯があり、１か月に２回転の速度でプログラム車を駆動する。しかしながら、プログラム車が１か月に１回転、又は１か月に数回転を実行する変形も考えられよう。
【００４３】
重要なことは、窓部に画定される表示領域に、月の部分的表現を示すべく、板８０及び板９０が、中間車２２と、車２３と、指部２５と、レバー４０と、キャッチ４１と、ラチェットの爪４３と、星形の歯車６３と、駆動車７１及び７２と、プログラム車６１及び６２とを備える、駆動手段の作動のもとで、連続的な跳躍によって、変位されるということである。そして、そのような月の表現の表示期間の全てが等しいのではないということである。
【符号の説明】
【００４４】
２２  中間車
２３  ２３．６２５時間の車
２４  ２４時間の車
２５  格納式指部
４０  月のレバー
４１  キャッチ部、ピン
４２  月のレバーのばね
４３  ラチェットの爪
４８  修正レバー
４９  修正ばね
６１  第１プログラム車
６２  第２プログラム車
６３  １５の歯を持つ星形の歯車
６５  １５歯の星形の歯車のジャンパー
７１  第１駆動車
７２  第１駆動車
７６  第１車ジャンパー
７７  第２車ジャンパー
８０  第１表示板
８１から８６  月の部分的表現
９０  第２表示板
９１から９６  月の部分的表現
【図１】
2021527799.tif 000003
【図２】
2021527799.tif 000004
【図３】
2021527799.tif 000005
【図４】
2021527799.tif 000006
【図５ａ】
2021527799.tif 000007
【図５ｂ】
2021527799.tif 000008
【図５ｃ】
2021527799.tif 000009
【図５ｄ】
2021527799.tif 000010
【図５ｅ】
2021527799.tif 000011
【図５ｆ】
2021527799.tif 000012
【図５ｇ】
2021527799.tif 000013
【図６】
2021527799.tif 000014
【手続補正書】
【提出日】令和2年12月21日(2020.12.21)
【手続補正１】
【補正対象書類名】特許請求の範囲
【補正対象項目名】全文
【補正方法】変更
【補正の内容】
【特許請求の範囲】
【請求項１】
月を少なくとも部分的に表現する複数の第１画像を持っている第１表示部と、
表示領域と、
月の複数の表現の連続を表示すべく、連続した跳躍によって、第１表示部を表示領域について相対的に動かすように作られている駆動手段と
を備える月齢表示装置において、
複数の第１画像の表示期間の全てが等しくはないことを特徴とする、時計用月齢表示装置。
【請求項２】
前記駆動手段は、
周期的な動力を提供すべく、時計のムーブメントに力学的に連結されることが意図されている作動部と、
次の第１画像を表示するために、作動部からのｎ個の動力に応答し、表示領域を基準にして第１表示部を変位させるべく作られている第１選択部と
を備え、
ｎは、対象の第１画像の表示期間に比例する整数であり、ｎは、全ての第１画像について同一ではない、
請求項１に記載の月齢表示装置。
【請求項３】
第２画像を持ち、第２画像を表示領域に連続的に示すべく、駆動手段によって、表示領域を基準にして変位可能な第２表示部を備え、
表示領域において、第２画像は、第１表示部の第１画像と組み合わせて、月齢の表現を形成する、
請求項２に記載の月齢表示装置。
【請求項４】
月齢板の固定部分及び補完的部分を占める、第１画像と第２画像との並置によって、月齢の表現が組み合わされている、請求項３に記載の月齢表示装置。
【請求項５】
駆動手段は、次の第２画像を表示するため、作動部からのｍ個の動力に応じて、第２表示部を、表示領域を基準にして変位させるべく作られている第２選択部を備え、
ｍは、対象の第２画像の表示期間に比例する整数であり、ｍは１つの第２画像と別の第２画像とで可変である、
請求項２に記載の月齢表示装置。
【請求項６】
第１表示部及び第２表示部は、２枚の同心の板である、請求項３に記載の月齢表示装置。
【請求項７】
第１選択部は、朔望の所定の状態にて第１表示部を作動する第１プログラム車を備え、
第２選択部は、朔望の所定の状態にて第２表示部を作動する第２プログラム車を備える、請求項２に記載の月齢表示装置。
【請求項８】
表示領域を基準にした第１表示部の瞬時の前進を起こす瞬時跳躍装置を備える、請求項２に記載の月齢表示装置。
【請求項９】
プログラム車は、朔望の間の２回転によって駆動される、請求項６に記載の月齢表示装置。
【国際調査報告】
2021527799.tif 000015
2021527799.tif 000016
2021527799.tif 000017
2021527799.tif 000018